(57)【特許請求の範囲】
【請求項１】
側板の内側対向面に形成した上下に延びる溝に裏板の上下に延びる縁部を嵌入させて固定する組立式箱形家具において、
この家具の裏面側から上記溝内の上記裏板の縁部を貫いて上記側板内に達する固定手段の頭部を、上記裏面側の上記側板の上下に延びる端面を超えて突出させることなく収納できるとともに、上記内側対向面側から穴あけ加工で形成した削り取り部を上記側板が部分的に備え、この削り取り部にて上記固定手段により上記側板と上記裏板とを固定することを特徴とする組立式箱形家具。
【発明の詳細な説明】
【０００１】
【発明の属する技術分野】
本発明は、予め加工され、一ユニットずつ揃えられた各構成部材を組立現場で相互に固定されるだけででき上がる組立式箱形家具に関するものである。
【０００２】
【従来の技術】
従来、図４に示すように、組立現場において組立式箱形家具２０の側板２１に裏板２２を取付ける場合、家具２０の裏面側における側板２１の縁部内側に形成された上下に延びる溝２３に裏板２２の縁部を嵌入させた後、裏板２２の外側の溝２３に近い位置から溝２３を突き抜けて側板２１に達するように釘或いはビス２４を斜めに打込むか、ねじ込むことにより側板２１へ裏板２２が固定されている。
また、図５に示すよう別の組立式箱形家具では、側板２１の内側の縁部にＬ字形取付け金具３１の一方の面をビス等により取付け、この取付け金具３１の他方の面に裏板２２の内側の縁部をあてがい、側板２１に対して裏板２２を適正に位置させた状態で、ビス等により取付け金具３１に裏板２２を取付けることにより側板２１へ裏板２２が固定されている。
さらに、図６に示すように別の組立式箱形家具では、パネル構造の側板２１と裏板２２を使い、側板２１の内側の縁部における裏板２２を当接させる位置と側板２１に当接させる裏板２２の縁部端面のそれぞれに多数のダボ穴４１を穿設し、ダボ４２を側板２１および裏板２２のそれぞれのダボ穴４１に嵌入させてダボ組みにより側板２１と裏板２２との固定が行われている。
【０００３】
【発明が解決しようとする課題】
上述した図４に示す組立式箱形家具の場合、裏板２２の外側の溝２３に近い位置から釘或いはビス２４を家具の内部に露出させることなく斜めに打込み或いはねじ込む施工技術を必要とし、打込み等をする釘或いはビス２４の位置のずれ、角度の狂い等により釘或いはビス２４の一部が家具内部に露出し易いという問題がある。
また、図５に示す組立構造の場合、側板２１に裏板２２を固定するのに専用のＬ字形取付け金具３１を必要とするのに加えて、側板２１と裏板２２とで形成される狭い隅部でドライバー等を使用しなければならないため、非常に作業性が悪いという問題がある。
さらに、図６に示す組立構造の場合、心材を表面材で挟むパネル加工をすることにより裏板２２を形成し、側板２１および裏板２２に多数のダボ穴４１を穿設する加工工程が増えるため、組立前の加工に過大な手間を要するという問題がある。
本発明は、斯る従来の問題をなくすことを課題としてなされたもので、組立部材の加工に要する手間をできる限り少なくしつつ、これらの部材の組立て作業を容易かつ効率よくし、さらに釘等の家具内部への露出が生じ難くした組立式箱形家具を提供しようとするものである。
【０００４】
【課題を解決するための手段】
上記課題を解決するために、本発明は、側板の内側対向面に形成した上下に延びる溝に裏板の上下に延びる縁部を嵌入させて固定する組立式箱形家具において、
この家具の裏面側から上記溝内の上記裏板の縁部を貫いて上記側板内に達する固定手段の頭部を、上記裏面側の上記側板の上下に延びる端面を超えて突出させることなく収納できるとともに、上記内側対向面側から穴あけ加工で形成した削り取り部を上記側板が部分的に備え、この削り取り部にて上記固定手段により上記側板と上記裏板とを固定する構成とした。
【０００５】
【発明の実施の形態】
次に、本発明の一実施形態を図面にしたがって説明する。
図１，２は、本発明の第一実施形態に係る組立式箱形家具１を示し、この家具１は、側板１１に形成した上下に延びる溝１２に裏板１３の上下に延びる縁部を嵌入させて固定する構造を有するものである。
家具１の裏面側における側板１１の縁部１７には、側板１１の内側から穴あけ加工により、縁部１７を分断する削り取り部１４が形成してある。そして、溝１２に裏板１３の縁部１７を嵌入させた後、この削り取り部１４にて上記裏面側から裏板１３にビス１５を垂直にねじ込み、裏板１３と側板１１とを固定するようになっている。ここで、ビス１５の頭部は、上記裏面側の側板１１の上下に延びる端面を超えて突出することなく削り取り部１４内に収まるようになっている。
【０００６】
なお、ビス１５に代えて木ねじを使用してもよく、釘を垂直に打込んでもよい。
また、削り取り部１４の開口部を上記裏面側よりも裏板１３に接する側の方が狭くなるようにすることにより、ビス１５等による固定部の予め定めた位置からのばらつきを小さくすることができる。
図１では各側板１１の一箇所に削り取り部１４を設けてあるが、本発明は、この一箇所に限定するものではなく、側板１１の複数箇所に削り取り部１４を設けた構成も含むものである。
ところで、図１において、１６は裏板１３の外側からビス止めされた補強材を示している。
【０００７】
このように、この家具１では、側板１１に削り取り部１４のための穴あけ加工を施すだけで、ビス１５等を裏板１３に対して垂直にねじ込み、或いは打込めばよく、作業が容易になり、ドライバー等の使用に障害となるものもなく、作業性も良くなるのに加えて、側板１１に対して裏板１３を固定する強度も増大する。さらに、ビス１５等による固定箇所の数も減らすことができるので組立ての作業時間を短縮できる。しかも、ビス１５等を垂直にねじ込み、或いは打込めばよいのでビス１５等を家具１の内部に露出しないようにすることも容易となる上、削り取り部１４のための穴あけ加工は棚板等の為の穴あけ加工と同時に行えるので、製造工程が増える事もなく、製造コストをおさえる事ができる。
【０００８】
図３は、本発明の第二実施形態に係る組立式箱形家具２の削り取り部１４を示したもので、図１および２と互いに共通する部分については同一番号を付して説明を省略する。
この家具２では、上記裏面側から側板１１の内側に近い位置に、穴あけ加工を施して穴を穿設することにより削り取り部１４を形成してある。図３では削り取り部１４は円柱形状にしてあるが、裏板１３に向けて狭まる円錐台形状にしてもよい。
この場合も、作業の容易性、作業性の向上等について、第一実施形態と同様のことが言える。
【０００９】
なお、側板１１としては、例えば心材にパーティクルボードを用い、この内外から表面材であるプリント合板により心材を挟み込んで形成されたパネル構造を有するものがある。この他に、心材としては、合板、集成材或いはＭＤＦ（中比重ファイバーボード）等を使用でき、表面材としては、パーティクルボード、ＭＤＦ、シート材等を使用できる。また、裏板１３としては、プリント合板の他に、ＭＤＦ等を用いてもよい。
【００１０】
【発明の効果】
以上の説明より明らかなように、本発明によれば、側板に形成した上下に延びる溝に裏板の上下に延びる縁部を嵌入させて固定する組立式箱形家具において、この家具の裏面側から上記溝内の上記縁部を貫いて上記側板内に達する固定手段の頭部を、上記裏面側の上記側板の上下に延びる端面を超えて突出させることなくこの頭部を収める削り取り部を上記側板が部分的に備え、この削り取り部にて上記固定手段により上記側板と上記裏板とを固定する構成としてある。
【００１１】
このため、この家具では、側板に削り取り部のための穴あけ加工を施すだけで、ビス等を裏板に対して垂直にねじ込み、或いは打込めばよく、作業が容易になり、ドライバー等の使用に障害となるものもなく、作業性も良くなるのに加えて、側板に対して裏板を固定する強度も増大する。さらに、ビス等による固定箇所の数も減らすことができるので組立ての作業時間を短縮できる。しかも、ビス等を垂直にねじ込み、或いは打込めばよいのでビス等を家具の内部に露出しないようにすることも容易となる等の種々の効果を奏する。
【図面の簡単な説明】
【図１】  本発明の第一実施形態に係る組立式箱形家具の斜視図である。
【図２】  図１に示す家具の削り取り部を拡大して示す斜視図である。
【図３】  本発明の第二実施形態に係る組立式箱形家具の削り取り部を拡大して示す斜視図である。
【図４】  従来の組立式箱形家具の斜視図である。
【図５】  従来の別の組立式箱形家具の側板と裏板との固定方法を示す図である。
【図６】  従来のさらに別の組立式箱形家具の側板と裏板との固定方法を示す図である。
【符号の説明】
１，２  組立式箱形家具            １１  側板
１２  溝                          １３  裏板
１４  削り取り部                  １５  ビス
【図１】
0003778711.tif 000002
【図２】
0003778711.tif 000003
【図３】
0003778711.tif 000004
【図４】
0003778711.tif 000005
【図５】
0003778711.tif 000006
【図６】
0003778711.tif 000007